(57)【要約】      （修正有）【課題】ＬＥＤチップの発光色を店頭で確認できるフレキシブルＬＥＤユニットの陳列パッケージを提供する。【解決手段】カバー１と、該カバー１の背面側に配置した台板２と、カバー１を裏面側より表面側へ膨出部３を形成することでカバー１の裏面に形成される収容凹部４内に収容されたフレキシブルＬＥＤユニット５と、カバー１を裏面側より表面側へ膨出部６を形成することでカバー１の裏面に形成される収容凹部７内に、フレキシブルＬＥＤユニット５に接続状態で収容されたバッテリ８と、外部からＯＮ／ＯＦＦ可能なスイッチ９とを有し、カバー１における少なくとも膨出部６の形成部位を無色透明とする。スイッチ９をＯＮ操作することでフレキシブルＬＥＤユニット５のＬＥＤチップが点灯するため、その発光色を店頭で視認することが可能になる。【選択図】図１
0003174086.tif 000002
【実用新案登録請求の範囲】
【請求項１】
カバーと、該カバーの背面側に配置した台板と、カバーを裏面側より表面側へ膨出部を形成することでカバーの裏面に形成される収容凹部内に収容されたフレキシブルＬＥＤユニットと、カバーを裏面側より表面側へ膨出部を形成することでカバーの裏面に形成される収容凹部内に、フレキシブルＬＥＤユニットに接続状態で収容されたバッテリと、外部からＯＮ／ＯＦＦ操作可能なスイッチとを有し、カバーにおける少なくとも膨出部の形成部位を無色透明としたことを特徴とするフレキシブルＬＥＤユニットの陳列パッケージ。
【請求項２】
上記膨出部を、上記フレキシブルＬＥＤユニットの収容凹部が楕円環形状となる様に形成し、上記フレキシブルＬＥＤユニットをＬＥＤチップを外側とした巻回状態で収容したことを特徴とする請求項１記載のフレキシブルＬＥＤユニットの陳列パッケージ。
【考案の詳細な説明】
【技術分野】
【０００１】
本考案は、フレキシブルＬＥＤユニットにおけるＬＥＤチップの発光色を店頭で確認可能な陳列パッケージに関する。
【背景技術】
【０００２】
従来、かかるフレキシブルＬＥＤユニットにあっては、ＬＥＤチップを複数個直列に接続したランプユニットを電源線と接続し、該電源線をフレキシブル・フラットケーブルの導体として、取付面の形状に合致可能にしたものが見受けられる（例えば、特許文献１参照）。
【先行技術文献】
【特許文献】
【０００３】
【特許文献１】特開２００７−３３５３４５号公報
【考案の概要】
【考案が解決しようとする課題】
【０００４】
しかし、上記従来技術にあっては、販売時にそのままの状態か、巻回状態でパッケージされているだけであるため、ＬＥＤチップの色は確認できるが、実際に発光した状態の色を店頭で確認出来ないなど、解決せねばならない課題があった。
【課題を解決するための手段】
【０００５】
本考案は、上記従来技術に基づく、ＬＥＤチップの発光色が確認出来ない課題に鑑み、カバーと、該カバーの背面側に配置した台板と、カバーを裏面側より表面側へ膨出部を形成することでカバーの裏面に形成される収容凹部内に収容されたフレキシブルＬＥＤユニットと、カバーを裏面側より表面側へ膨出部を形成することでカバーの裏面に形成される収容凹部内に、フレキシブルＬＥＤユニットに接続状態で収容されたバッテリと、外部からＯＮ／ＯＦＦ操作可能なスイッチとを有し、カバーにおける少なくとも膨出部の形成部位を無色透明とすることによって、スイッチをＯＮ操作することでフレキシブルＬＥＤユニットのＬＥＤチップが点灯し発光色を店頭で視認可能にして、上記課題を解決する。
【考案の効果】
【０００６】
要するに本考案は、カバーと、該カバーの背面側に配置した台板と、カバーを裏面側より表面側へ膨出部を形成することでカバーの裏面に形成される収容凹部内に収容されたフレキシブルＬＥＤユニットと、カバーを裏面側より表面側へ膨出部を形成することでカバーの裏面に形成される収容凹部内に、フレキシブルＬＥＤユニットに接続状態で収容されたバッテリと、外部からＯＮ／ＯＦＦ操作可能なスイッチとを有し、カバーにおける少なくとも膨出部の形成部位を無色透明としたので、スイッチを「ＯＮ」にして点灯したフレキシブルＬＥＤユニットのＬＥＤチップを視認することが出来るため、希望に応じたフレキシブルＬＥＤユニットを確実に購入することが出来る。
更に、上記膨出部を、上記フレキシブルＬＥＤユニットの収容凹部が楕円環形状となる様に形成し、上記フレキシブルＬＥＤユニットをＬＥＤチップを外側とした巻回状態で収容したので、長いフレキシブルＬＥＤユニットにも対応することが出来る等その実用的効果甚だ大である。
【図面の簡単な説明】
【０００７】
【図１】本考案に係るフレキシブルＬＥＤユニットの陳列パッケージの斜視図である。
【図２】図１のフレキシブルＬＥＤユニットの陳列パッケージの台板を外した状態の背面図である。
【図３】フレキシブルＬＥＤユニットの斜視図である。
【考案を実施するための形態】
【０００８】
以下、本考案を実施するための形態を図面に基づき説明する。
本考案に係るフレキシブルＬＥＤユニットの陳列パッケージにあっては、カバー１と、該カバー１の背面側に配置した台板２と、カバー１を裏面側より表面側へ膨出部３を形成することでカバー１の裏面に形成される収容凹部４内に収容されたフレキシブルＬＥＤユニット５と、カバー１を裏面側より表面側へ膨出部６を形成することでカバー１の裏面に形成される収容凹部７内に、フレキシブルＬＥＤユニット５に接続状態で収容されたバッテリ８と、外部からＯＮ／ＯＦＦ可能なスイッチ９とを有し、カバー１における少なくとも膨出部６の形成部位を無色透明としている。
以下、詳細に説明する。
【０００９】
図１〜３は、本考案に係るフレキシブルＬＥＤユニットの陳列パッケージの正面図、平面図、及び台板を外した状態の背面図であり、上記カバー１は無色透明なプラスチック製で、両側部及び下部に上記台板２の差込み溝10、10a 、11を有し、台板２は紙製で、両側部を上方より差込み溝10、10a に差し込んで下方へスライドさせ、台板２の下部を差込み溝11に差し込んで、カバー１の背面側に台板２を引抜き可能に配置している。
【００１０】
フレキシブルＬＥＤユニット５の収容凹部４にあっては、楕円環状に形成され、上記フレキシブルＬＥＤユニット５が、ＬＥＤチップ12、12a …を外側とした巻回状態で収容されている。
【００１１】
上記バッテリ８の収容凹部７をフレキシブルＬＥＤユニット５の収容凹部４と部分的に重なる様に形成することで、収容凹部４側のフレキシブルＬＥＤユニット５の２本の長い導線13、13a を収容凹部７内に引込み可能とし、該収容凹部７内の一方の導線13を上記バッテリ８を介して、他方の導線13a をそのまま（又は仲介導線を介して）上記スイッチ９に接続し、該スイッチ９を「ＯＮ」にすることでＬＥＤチップ12、12a …を点灯可能にしている。
【００１２】
上記スイッチ９にあっては、バッテリ８の収容凹部７内に収容すると共に、カバー１に固定し、スイッチ９の上部をカバー１を貫通させ表面より突出させて、このスイッチ９を外部からＯＮ／ＯＦＦ操作可能にし，具体的には押せば「ＯＮ」、放せば自動的に戻って「ＯＦＦ」となる。
【００１３】
次に、本考案に係るフレキシブルＬＥＤユニットの陳列パッケージの作用について説明する。
このフレキシブルＬＥＤユニットの陳列パッケージを店頭に陳列すれば、客は手にとってスイッチ９を押せば、ＬＥＤチップ12、12a …が点灯し、無色透明なカバー１を透過するため、発光色を視認出来る。
購入後は、導線13、13a をバッテリ８及びスイッチ９から外して電源に接続すると共に、フレキシブルＬＥＤユニット５を所定位置に貼り付けて使用する。
【符号の説明】
【００１４】
１  カバー
２  台板
３  膨出部
４  収容凹部
５  フレキシブルＬＥＤユニット
６  膨出部
７  収容凹部
８  バッテリ
９  スイッチ
【図１】
0003174086.tif 000003
【図２】
0003174086.tif 000004
【図３】
0003174086.tif 000005